(57)【要約】【課題】切花を見栄え良く陳列することが可能なバケツカバーを提供する。【解決手段】水揚げバケツを収容するカバー本体１１には、側壁板１３の下部１３ａに２組の貫通孔群１５，１６が形成されるとともに、側壁板１３の上部１３ｂに１組の貫通孔群１７が形成される。これらの貫通孔群１５〜１７は貫通孔２０ａ〜２５ａとこれに対向する貫通孔２０ｂ〜２５ｂによって構成される。また、カバー本体１１の各貫通孔群１５〜１７には、略コ字状に折り曲げられた棒状部材１２を挿し込むことが可能となっている。側壁板１３の下部１３ａに設けられる貫通孔群１５，１６に棒状部材１２を挿し込むことにより、棒状部材１２によって水揚げバケツを底上げすることが可能となる。さらに、側壁板１３の上部１３ｂに設けられる貫通孔群１７に棒状部材１２を挿し込むことにより、棒状部材１２によってカバー本体１１の開口部１１ａを仕切ることが可能となる。【選択図】図１
2007282961.tif 000002
【特許請求の範囲】
【請求項１】
花卉の陳列容器を収容する花卉用容器カバーであって、
前記陳列容器を囲う側壁に第１貫通孔とこれに対向する第２貫通孔とが形成されるカバー本体と、
前記第１貫通孔と前記第２貫通孔とに通され、前記カバー本体に掛け渡される棒状部材とを有することを特徴とする花卉用容器カバー。
【請求項２】
請求項１記載の花卉用容器カバーにおいて、
前記第１貫通孔と前記第２貫通孔とは前記側壁の下部に形成され、前記棒状部材によって前記陳列容器を底上げすることを特徴とする花卉用容器カバー。
【請求項３】
請求項１記載の花卉用容器カバーにおいて、
前記第１貫通孔と前記第２貫通孔とは前記側壁の上部に形成され、前記棒状部材によって前記カバー本体の開口部を仕切ることを特徴とする花卉用容器カバー。
【発明の詳細な説明】
【技術分野】
【０００１】
本発明は、花卉の陳列容器を収容する花卉用容器カバーに関する。
【背景技術】
【０００２】
卸売業者から販売店に配送された切花は、水揚げバケツ等の陳列容器に収容した状態で販売されている。このような切花は贈り物として購入されることも多いため、特許文献１に記載されるようなフラワースタンドを用いて切花を見栄え良く陳列することが重要となっている。
【０００３】
ところで、水揚げバケツは黒色や深緑色などのプラスチック製が多く、このような水揚げバケツを露出させることは、陳列された切花の見栄えを損なう要因となっていた。そこで、販売店においては、水揚げバケツよりも一回り大きなバケツカバーを用いて水揚げバケツを覆うことにより、切花の見栄えを向上させるようにしている。
【特許文献１】特開２００２−１７５３６号公報
【発明の開示】
【発明が解決しようとする課題】
【０００４】
しかしながら、切花に応じて様々な寸法の水揚げバケツが用意されるため、水揚げバケツ毎に様々な寸法のバケツカバーを準備することは、販売店の販売コストを増大させる要因となっていた。また、様々な寸法のバケツカバーを店頭に並べることは、購入者に対して乱雑な印象を与えるおそれもあり、切花を販売する上で好ましいことではない。
【０００５】
本発明の目的は、コストを抑制しながら花卉を見栄え良く陳列することが可能な花卉用容器カバーを提供することにある。
【課題を解決するための手段】
【０００６】
本発明の花卉用容器カバーは、花卉の陳列容器を収容する花卉用容器カバーであって、前記陳列容器を囲う側壁に第１貫通孔とこれに対向する第２貫通孔とが形成されるカバー本体と、前記第１貫通孔と前記第２貫通孔とに通され、前記カバー本体に掛け渡される棒状部材とを有することを特徴とする花卉用容器カバー。
【０００７】
本発明の花卉用容器カバーは、前記第１貫通孔と前記第２貫通孔とは前記側壁の下部に形成され、前記棒状部材によって前記陳列容器を底上げすることを特徴とする。
【０００８】
本発明の花卉用容器カバーは、前記第１貫通孔と前記第２貫通孔とは前記側壁の上部に形成され、前記棒状部材によって前記カバー本体の開口部を仕切ることを特徴とする。
【発明の効果】
【０００９】
本発明によれば、カバー本体に対して第１貫通孔とこれに対向する第２貫通孔とを形成し、棒状部材を第１貫通孔と第２貫通孔とに通してカバー本体に掛け渡すようにしたので、棒状部材によって陳列容器を底上げしたり、棒状部材によってカバー本体の開口部を仕切ったりすることが可能となる。これにより、各種陳列容器に対する花卉用容器カバーの汎用性を高めるとともに、花卉を見栄え良く陳列することが可能となる。
【発明を実施するための最良の形態】
【００１０】
以下、本発明の実施の形態を図面に基づいて詳細に説明する。図１は本発明の一実施の形態である花卉用容器カバーを示す斜視図であり、図２〜図４は花卉用容器カバーの使用状態を示す説明図である。
【００１１】
まず、図１に示すように、花卉用容器カバーとしてのバケツカバー１０は、底付き円筒状に形成されるカバー本体１１と、このカバー本体１１に組み付けられる略コ字状の棒状部材１２とによって構成されている。カバー本体１１は、緩やかなテーパ状に丸められた側壁としての側壁板１３と、この側壁板１３の下端を閉塞する底板１４とによって形成されている。また、カバー本体１１を構成する側壁板１３の下部１３ａには２組の貫通孔群１５，１６が形成されており、側壁板１３の上部１３ｂには１組の貫通孔群１７が形成されている。なお、図示するカバー本体１１にあっては、ブリキ板やステンレス板などの金属材料を用いて形成されているが、プラスチックなどの樹脂材料を用いて形成しても良い。
【００１２】
最下段に形成される貫通孔群１５は、第１貫通孔である２つの貫通孔２０ａ，２１ａと第２貫通孔である２つの貫通孔２０ｂ，２１ｂとによって構成されており、これらの貫通孔２０ａ，２１ａと貫通孔２０ｂ，２１ｂとは相互に対向している。同様に、下から２段目に形成される貫通孔群１６は、第１貫通孔である２つの貫通孔２２ａ，２３ａと第２貫通孔である２つの貫通孔２２ｂ，２３ｂとによって構成されており、これらの貫通孔２２ａ，２３ａと貫通孔２２ｂ，２３ｂとは相互に対向している。また同様に、最上段に形成される貫通孔群１７は、第１貫通孔である２つの貫通孔２４ａ，２５ａと第２貫通孔である２つの貫通孔２４ｂ，２５ｂとによって構成されており、これらの貫通孔２４ａ，２５ａと貫通孔２４ｂ，２５ｂとは相互に対向するようになっている。なお、例えばカバー本体１１の全高を約３８０ｍｍとすると、貫通孔群１５はカバー本体１１の下端から約２５ｍｍの高さ位置に形成され、貫通孔群１６はカバー本体１１の下端から約９５ｍｍの高さ位置に形成され、貫通孔群１７はカバー本体１１の下端から約３６５ｍｍの高さ位置に形成されているが、これらの全高や高さ位置に限られることはなく、適宜変更しても良いことはいうまでもない。
【００１３】
また、カバー本体１１に組み付けられる棒状部材１２は、カバー本体１１の各貫通孔２０ａ〜２５ｂに対して挿入される一対の挿入棒部１２ａ，１２ｂと、これらの挿入棒部１２ａ，１２ｂを連結する連結部１２ｃとを備えている。隣り合う貫通孔２０ａ〜２５ｂの間隔は等しく形成されており、棒状部材１２はいずれの貫通孔群１５〜１７に対しても挿入することが可能となっている。そして、この棒状部材１２をカバー本体１１の貫通孔群１５〜１７に対して挿し込むことにより、カバー本体１１の内側に挿入棒部１２ａ，１２ｂが掛け渡されるようになっている。なお、図示する棒状部材１２にあっては、ステンレスやスチールなどの金属棒を折り曲げて形成しているが、パイプ状の金属棒を折り曲げて形成するようにしても良い。
【００１４】
続いて、バケツカバー１０の使用方法について説明する。図２〜図４に示すように、バケツカバー１０は、側壁板１３の下部１３ａに高さ位置の異なる２組の貫通孔群１５，１６を備えるため、高さ寸法が異なる３種類の水揚げバケツ(陳列容器)Ｂ１〜Ｂ３に対応させることが可能となる。図２(Ａ)および(Ｂ)に示すように、カバー本体１１に近い高さ寸法Ｈ１を備える水揚げバケツＢ１を収容する場合には、棒状部材１２を組み付けることなくカバー本体１１単体で使用する。そして、図３(Ａ)および(Ｂ)に示すように、水揚げバケツＢ１よりも低い高さ寸法Ｈ２を備える水揚げバケツＢ２を収容する場合には、最下段の貫通孔群１５に対して棒状部材１２を挿し込むことにより、水揚げバケツＢ２を高さ寸法Ｈａだけ底上げした状態で使用することが可能となる。さらに、図４(Ａ)および(Ｂ)に示すように、水揚げバケツＢ２よりも低い高さ寸法Ｈ３を備える水揚げバケツＢ３を収容する場合には、下から２段目の貫通孔群１６に対して棒状部材１２を挿し込むことにより、水揚げバケツＢ３を高さ寸法Ｈｂだけ底上げした状態で使用することが可能となる。
【００１５】
このように、水揚げバケツＢ１〜Ｂ３を囲う側壁板１３に高さ位置の異なる２組の貫通孔群１５，１６を形成するようにしたので、棒状部材１２の挿入位置に応じて水揚げバケツＢ１〜Ｂ３を底上げすることができ、様々な大きさの水揚げバケツＢ１〜Ｂ３に対して１つのバケツカバー１０を対応させることが可能となる。これにより、販売店が準備するバケツカバー１０の数を削減することができるため、コストを抑制しながらバケツカバー１０を用いて切花(花卉)Ｆを見栄え良く陳列することが可能となる。しかも、図２(Ｂ)〜図４(Ｂ)に示すように、水揚げバケツＢ１〜Ｂ３の高さ寸法Ｈ１〜Ｈ３が異なる場合であっても、ほぼ同じ高さ位置に切花Ｆを陳列することができるため、切花Ｆの見栄えを向上させることが可能となる。なお、貫通孔群１５，１６の数を増減させることにより、対応させることが可能な水揚げバケツの種類を増減させても良い。
【００１６】
また、棒状部材１２によって水揚げバケツＢ１〜Ｂ３を底上げするだけでなく、棒状部材１２を上部１３ｂの貫通孔群１７に挿入して水揚げバケツＢ１〜Ｂ３の上方に掛け渡すことにより、カバー本体１１の開口部１１ａを棒状部材１２によって仕切ることも可能である。ここで、図５(Ａ)は貫通孔群１７に対して棒状部材１２を挿入する前の状態を示す斜視図であり、図５(Ｂ)は貫通孔群１７に対して棒状部材１２を挿入した後の状態を示す斜視図である。図５(Ａ)に示すように、販売が進むことによって水揚げバケツＢ１内の切花Ｆが閑散とした状態になると、切花Ｆの見栄えを損なうおそれがあるため、図５(Ｂ)に示すように、貫通孔群１７に対して棒状部材１２を挿入するようにしている。このように、貫通孔群１７に棒状部材１２を挿入することにより、少ない切花Ｆをまとめて配置することができるため、少ない切花Ｆを見栄え良く陳列することが可能となる。さらに、貫通孔群１７に対して棒状部材１２を挿入した場合には、カバー本体１１の開口部１１ａを３つに仕切ることができるため、異なる種類の切花Ｆを１つの水揚げバケツＢ１に綺麗に収容して販売することも可能となる。
【００１７】
本発明は前記実施の形態に限定されるものではなく、その要旨を逸脱しない範囲で種々変更可能であることはいうまでもない。たとえば、図示する場合には、カバー本体１１に対して３組の貫通孔群１５〜１７を形成するようにしているが、貫通孔群の数を４組以上に増加しても良く、貫通孔群の数を２組以下に削減しても良い。たとえば、図６(Ａ)のカバー本体３０に示すように、貫通孔群１７に加えて側壁板１３の上部１３ｂに貫通孔群３１を形成することにより、２つの棒状部材１２が交わるように組み付けると、カバー本体３０の開口部３０ａを更に多くの区画に仕切ることができるため、少ない切花を中央にまとめて配置したり、多数種の切花を１つの水揚げバケツに見栄え良く収容したりすることが可能となる。
【００１８】
また、図１に示すカバー本体１１にあっては、断面形状が円形となるように丸められているが、この断面形状に限られることはなく、図６(Ｂ)に示すように、６角形の断面形状を備えるカバー本体３２を用いるようにしても良い。なお、他の多角形の断面形状を備えるカバー本体によってバケツカバーを構成しても良く、星形や楕円形の断面形状を備えるカバー本体によってバケツカバーを構成しても良い。
【００１９】
また、前述した棒状部材１２にあっては、略コ字状に折り曲げられた形状を有しているが、この形状に限られることはなく、略Ｕ字状に折り曲げるようにしても良く、図６(Ｂ)に示すように、直線状に伸びる棒状部材３３を用いるようにしても良い。なお、図示する場合には、棒状部材３３を貫通孔群１７に挿し込むようにしているが、棒状部材３３を貫通孔群１５，１６に挿し込むようにしても良いことはいうまでもない。また、図１に示す場合には、２本の挿入棒部１２ａ，１２ｂを備えた棒状部材１２となっているが、３本以上の挿入棒部を備えた棒状部材を用いることも可能である。なお、この場合には、カバー本体１１に対して挿入棒部の数に合わせた貫通孔を形成することはいうまでもない。
【００２０】
また、図１に示す場合には、４つ以上の貫通孔によって１組の貫通孔群１５〜１７を形成しているが、これに限られることはなく、直線状の棒状部材３３を用いる場合には、図６(Ｃ)のカバー本体３４に示すように、第１貫通孔３５ａとこれに対向する第２貫通孔３５ｂとによって１組の貫通孔群３５を形成しても良く、第１貫通孔３６ａとこれに対向する第２貫通孔３６ｂとによって１組の貫通孔群３６を形成しても良い。さらに、図６(Ｃ)に示すように、貫通孔群３５，３６の位置を周方向にずらして形成することにより、カバー本体３４に対して棒状部材３３を交わるように組み付けても良い。
【００２１】
なお、図１に示す場合には、１つの棒状部材１２を複数の貫通孔群１５〜１７に対応させているが、個々の貫通孔群１５〜１７に合わせて挿入棒部１２ａ，１２ｂの長さ寸法や間隔を設定するようにしても良い。つまり、個々の貫通孔群１５〜１７に対して専用の棒状部材を設計するようにしても良い。また、これまで説明したカバー本体１１，３０，３２，３４にあっては、緩やかなテーパ状に形成されているが、外径寸法をほぼ一定に保った円筒状や多角柱状にカバー本体を形成しても良い。
【図面の簡単な説明】
【００２２】
【図１】本発明の一実施の形態である花卉用容器カバーを示す斜視図である。
【図２】(Ａ)および(Ｂ)は花卉用容器カバーの使用状態を示す説明図である。
【図３】(Ａ)および(Ｂ)は花卉用容器カバーの使用状態を示す説明図である。
【図４】(Ａ)および(Ｂ)は花卉用容器カバーの使用状態を示す説明図である。
【図５】(Ａ)は上部の貫通孔群に対して棒状部材を挿入する前の状態を示す斜視図であり、(Ｂ)は上部の貫通孔群に対して棒状部材を挿入した後の状態を示す斜視図である。
【図６】(Ａ)〜(Ｃ)は本発明の他の実施の形態である花卉用容器カバーを示す斜視図である。
【符号の説明】
【００２３】
１０    バケツカバー(花卉用容器カバー)
１１    カバー本体
１１ａ  開口部
１２    棒状部材
１２ａ，１２ｂ    挿入棒部
１２ｃ    連結部
１３    側壁板(側壁)
１３ａ  下部
１３ｂ  上部
１４    底板
１５〜１７    貫通孔群
２０ａ，２１ａ    貫通孔(第１貫通孔)
２０ｂ，２１ｂ    貫通孔(第２貫通孔)
２２ａ，２３ａ    貫通孔(第１貫通孔)
２２ｂ，２３ｂ    貫通孔(第２貫通孔)
２４ａ，２５ａ    貫通孔(第１貫通孔)
２４ｂ，２５ｂ    貫通孔(第２貫通孔)
３０    カバー本体
３０ａ  開口部
３１    貫通孔群
３２    カバー本体
３３    棒状部材
３４    カバー本体
３５，３６    貫通孔群
３５ａ，３６ａ  第１貫通孔
３５ｂ，３６ｂ  第２貫通孔
Ｂ１〜Ｂ３    水揚げバケツ(陳列容器)
Ｈ１〜Ｈ３    高さ寸法
Ｈａ，Ｈｂ    高さ寸法
Ｆ    切花(花卉)
【図１】
2007282961.tif 000003
【図２】
2007282961.tif 000004
【図３】
2007282961.tif 000005
【図４】
2007282961.tif 000006
【図５】
2007282961.tif 000007
【図６】
2007282961.tif 000008